(57)【要約】【課題】キーボードを用いて、効率的で比較的操作の簡単な文字入力方法とその文字入力方法を備えた電子機器を提供する。【解決手段】キーボードにおける複数のデータキーの同時打鍵によって、機能キーの節減、キー打鍵数の節減を図る。特定のシフトキーや機能キーを設けることなく、省略打鍵を行う。ローマ字仮名入力を同時打鍵で効率的に入力する。携帯電話機で使用されているマルチタップ方式の文字入力と同等の文字入力を同時打鍵で効率的に入力する。従来の単独打鍵による文字入力と同時打鍵による文字入力を自由に混在して使用できるようにする。【選択図】図１
2005316917.tif 000002
【特許請求の範囲】
【請求項１】
キーボードとディスプレイと制御手段とを有し、前記キーボードを用いて文字入力が行われる電子機器であって、キーボードのデータキーの単独打鍵入力および同時打鍵入力を識別する手段を備え、データキーの単独打鍵のキー入力で、通常の文字入力を行い、複数のデータキーの同時打鍵入力に応じてあらかじめ指定された通常の文字入力と同等の文字列入力を自動的に入力する手段を備えたことを特徴とするキーボードを備えた電子機器。
【請求項２】
単独打鍵入力あるいは同時打鍵入力の順序の識別をあらかじめ記憶装置に格納されたテーブルを検索することによって行い、検索されたテーブルの内容に応答して、入力コード列を発生させ、該入力コード列に応答して、文字列を自動的に入力する手段を備えた、請求項１に記載のキーボードを備えた電子機器。
【請求項３】
単独打鍵入力では、逐次的なアルファベット文字入力を行い、同時打鍵入力では同時打鍵される文字キーの順序に応答して、あらかじめ定義されたアルファベット文字列を入力する請求項１記載のキーボードを備えた電子機器。
【請求項４】
単独打鍵入力では、逐次的なアルファベット文字入力を行い、同時打鍵入力では同時打鍵される文字キーの順序に応答して、あらかじめ定義されたアルファベット文字列を入力できるようにテーブルを構成したことを特徴とする請求項２記載のキーボードを備えた電子機器。
【請求項５】
ローマ字で仮名を入力するためにローマ字の子音キーと母音キーを有するキーボードを備え、単独打鍵では通常の逐次的なローマ字入力を行い、子音キーと母音キーとの同時打鍵によって子音と母音の打鍵順序を区別することなくローマ字による仮名入力を行うことを特徴とする請求項１に記載のキーボードを備えた電子機器。
【請求項６】
ローマ字で仮名を入力するためにローマ字の子音キーと母音キーを有するキーボードを備え、単独打鍵では通常の逐次的なローマ字入力を行い、子音キーと母音キーとの同時打鍵によって子音と母音の打鍵順序を区別することなくローマ字による仮名入力を行うことができるようにテーブルを構成することを特徴とする請求項２に記載のキーボードを備えた電子機器。
【請求項７】
数字キーの単独打鍵で仮名文字を入力するキーボードを備え、仮名５０音図の１０行５段の配列に対応して、「あ」行から「わ」行の１０行を指定する１０個の数字キーが、４段に整列配置されていて、行指定キーの押下に引き續いて、各段のキー群の中にある一つのキーを同時打鍵することにより、５０音図仮名文字が入力されることを特徴とする請求項１に記載のキーボードを備えた電子機器。
【請求項８】
数字キーの単独打鍵で仮名文字を入力するキーボードを備え、仮名５０音図の１０行５段の配列に対応して、「あ」行から「わ」行の１０行を指定する１０個のキーが、４段に整列配置されていて、行指定キーの押下に引き續いて、各段のキー群の中にある一つのキーを同時打鍵することにより、５０音図仮名文字が入力できるようにテーブルを構成することを特徴とする請求項２に記載のキーボードを備えた電子機器。
【請求項９】
数字キーの単独打鍵で仮名文字が入力されるキーボードを備え、仮名５０音図の１０行５段の配列に対応して、「あ」行から「わ」行の１０行を指定する１０個のキーが、４段に整列配置されていて、仮名５０音図の  第１段目の文字は行指定キーの単独打鍵で入力し、第２段目から第５段目の文字は、行指定キーを打鍵したのに引き続いて、各段にある隣接する２個のキーを同時打鍵することにより  ５０音図仮名文字が入力されることを特徴とする請求項１に記載のキーボードを備えた電子機器。
【請求項１０】
数字キーの単独打鍵で仮名文字が入力されるキーボードを備え、仮名５０音図の１０行５段の配列に対応して、「あ」行から「わ」行の１０行を指定する１０個のキーが、４段に整列配置されていて、仮名５０音図の  第１段目の文字は行指定キーの単独打鍵で入力し、第２段目から第５段目の文字は、行指定キーを打鍵したのに引き続いて、各段にある隣接する２個のキーを同時打鍵することにより、５０音図仮名文字が入力できるようにテーブルを構成することを特徴とする請求項２に記載のキーボードを備えた電子機器。
【請求項１１】
数字キーの単独打鍵で英字文字を入力するキーボードを備え、各組がアルファベットと記号と数字が５個以内の１０組に分け、１０個の各組を指定する１０個の数字キーが、４段に整列配置されていて、数字キーの押下に引き續いて、各組の何番目かを指定するキー群の中の、一つのキーを同時打鍵することにより、アルファベットあるいは記号あるいは数字が入力されることを特徴とする請求項１に記載のキーボードを備えた電子機器。
【請求項１２】
数字キーの単独打鍵で英字文字を入力するキーボードを備え、各組がアルファベットと記号と数字が５個以内の１０組に分け、１０個の各組を指定する１０個の数字キーが、４段に整列配置されていて、数字キーの押下に引き續いて、各組の何番目かを指定するキー群の中の、一つのキーを同時打鍵することにより、アルファベットあるいは記号あるいは数字が入力できるようにテーブルを構成することを特徴とする請求項２に記載のキーボードを備えた電子機器。
【発明の詳細な説明】
【産業上の利用】
【０００１】  本発明は、キーボードを備えた電子機器に関し、特に、文字入力を行うキーボードを備えた電子機器に関する。
【背景技術】
【０００２】  キーボードは電子機器への文字入力の手段として、広く用いられ、実用的にはもっぱらキーボードのデータキーを単独で逐次的に打鍵することにより文字を識別して、入力することが行われている。理論的には、複数のデータキーを同時打鍵することにより、単独打鍵とは異なる文字コードを発生させ、より少ないデータキーでより多くの文字コードを入力することも提案されている。【０００３】  あるいはキーボードのキー数を節減するために、特定の機能キーであるシフトキーとの同時押下により、多く文字コードを少ないキーで入力することも行われている。【０００４】  あるいは特定の機能キーが押下されている状態で、文字キーを打鍵することにより、特定の制御機能を入力することも行われている。【０００５】  最近では、電子機器の携帯性と小型化が重視され、携帯電話機で行われているように、数字キーボードのような少ないキー数で文字入力するために、入力モードを切り替えたり、同一キーの連続打鍵回数で区別して、多くの文字種の英数字や仮名文字の文字入力が行われている。【０００６】  なお、上記において、押下というとき、キーを押下して、キー入力をオン状態に保つことをいう。打鍵というとき、キーを押下して、押下を止めてキー入力をオフ状態に戻す一連の動作をいう。また、データキーとは入力文字コードを指定するキーであり、機能キーとは特定の機能を制御するキーである。
【発明が解決しようとする課題】
【０００７】  キーボードの特定の機能キーやシフトキーとの同時押下により入力できる文字種類や制御機能を多くする方法では、機能キーやシフトキーとして別途に設けなければならない。これは携帯性を重視する機器では大きな負担になる。
【０００８】  また、入力モードを切り換えて、より少ないキーで文字入力する方法では、入力モード  の切替が煩雑で、効率的な文字入力を阻害する。
また、携帯電話機の文字入力のように同一キーの連続打鍵回数で文字を識別する方法で  は、打鍵数が増加する上に、誤操作が生じやすい。
【０００９】  同時打鍵による文字入力は従来とは異なる新しい方法であるので、操作者が従来の方法  でも操作でき、新しい方法でも混在して文字入力ができ、新しい方法に円滑に移行でき  るようにすることが必要である。
【問題を解決するための手段】
【００１０】本発明のキーボードを備えた電子機器では、キーボードとディスプレイと制御手段とを有し、キーボードを用いて文字入力が行われる電子機器であって、キーボードのデータキーの単独打鍵あるいは複数のデータキーの同時打鍵で許容されたすべての状態を識別する手段を備え、識別された状態に応答してあらかじめ指定された文字列を入力する。このとき指定された文字列と同等の文字列を単独打鍵ででも操作して入力できる。
【００１１】単独打鍵あるいは複数のキーの同時打鍵で許容された全ての状態を識別する手段として、あらかじめ格納されたテーブルを検索することによって行ってもよい。テーブルには、同時打鍵のキーの押下状態で前縁の前後関係の許容される状態をすべて記述し、合致する場合を検出して、テーブルに記述された文字列コードを発生させる。発生された文字列コードは入力すべき文字列に対応しており、これに応答して制御回路が文字列の入力と操作者に対する適切なガイド表示を行う。
【００１２】キーボードは英字アルファベットを入力するキーボードであり、同時打鍵により入力される文字列があらかじめ設定された英字の文字列であってもよい。
【００１３】キーボードは仮名ローマ字を入力するキーボードであり、同時打鍵により入力される文字列が仮名ローマ字であってもよい。仮名ローマ字は必ず母音文字で終止するので、同時に打鍵する母音キーと子音キーの押下の前縁の順序の後先はどちらであってもよい。
【００１４】キーボードは数字キーボードを同一キーの連続打鍵回数で区別して仮名文字を入力するキーボードであり、「あ」行から「わ」行の行指定をする１０個のキーが物理的に４段３列に配置されている。行指定キーの押下に引き続いて、数字キーの物理的な各段の１つのキーを同時打鍵することにより、対応する５０音図の仮名文字が入力できてもよい。
【００１５】キーボードは数字キーボードを同一キーの連続打鍵回数で区別して仮名文字を入力するキーボードであり、「あ」行から「わ」行の行指定をする１０個のキーが物理的に４段３列に配置されている。仮名５０音図の第１段目の文字は行指定キーの単独打鍵で入力し、第２段目から第５段目の文字は、行指定キーを打鍵したのに引き続き、数字キーの物理的な各段にある隣接する２個のキーを同時打鍵することにより、対応する５０音図の仮名文字が入力できてもよい。
【００１６】キーボードは数字キーボードであって、同一キーの連続打鍵回数で区別して英数字あるいは記号を入力するキーボードであり、英数字および記号を整列して、１０組に分けて、各組を指定する１０個のキーが物理的に４段３列に配置されていてもよい。
各組を指定するキーの押下に引き続いて、数字キーの物理的に配置された各段の１つのキーを同時打鍵することにより、対応する英数字あるいは記号が入力できてもよい。
【発明の効果】
【００１７】本発明の第１の効果は、シフトキーや特定の機能キーを使用しないで、文字キーの同時打鍵により、あらかじめ設定された文字列を省打鍵により、効率よく入力できることである。
【００１８】本発明の第２の効果は、仮名ローマ字の母音と子音の文字を同時打鍵で入力でき、子音と母音とのキー押下の順序に頓着することなく、ローマ字を効率よく短い時間で入力できることである。
【００１９】本発明の第３の効果は、例えば数字キーのような少ないキーで仮名文字の入力を少ない打鍵数で間違いの少ない方法で効率よく行うことができることである。
【００２０】本発明の第４の効果は、キーボードを片手で支え、支えた手の指でキー操作をして、同時打鍵による効率的な仮名文字入力ができることである。
【００２１】本発明の第５の効果は、例えば数字キーのような少ないキーで英数字と記号を少ない打鍵数で、間違いが少ない方法で、入力モードを切り換えなくても、効率よく入力できることである。
【００２２】本発明の第６の効果は、単独打鍵の逐次的な文字入力と併用しながら、同時打鍵による効率的な文字入力を状況に応じて行うことができることである。
【００２３】本発明の第７の効果は、携帯電話機やパソコンなどの既存の機器に、キーボードを付加キーボードとして接続し、同じ操作法を保持しながら、さらに同時打鍵による効率的な文字入力機能を簡単に追加できることである。
【発明を実施するための最良の形態】
【００２４】次に、本発明の実施の形態について図面を参照して説明する。まず本発明の実施の形態におけるキーボードを備えた電子機器の構成と機能について説明する。最初に、本発明の実施の形態に共通する事項について説明する。【００２５】図１は本発明の実施の形態におけるキーボードを備えた電子機器の構成を示すブロック構成図である。本発明の実施の形態におけるキーボードを備えた電子機器は、入力コード制御装置１０と、キーボード０１と、入力コード制御装置１０で処理された情報を処理する文字入力／表示制御部０２と、文字入力を表示するディスプレイ０３とから構成され、入力コード制御装置１０は入力部１１と、制御部１２と、記憶部１４と、出力部１７とを有し、入力部１１はキーボード０１からキー入力情報を受け取り、制御部１２と記憶部１５とでキー入力情報を処理／記憶して、入力コード列出力部１７を通して、入力コード列情報を文字入力／表示制御部０２に送る。文字入力／表示制御部０２は、入力コード列を処理して、入力文字列を確定入力する。さらに文字入力／表示制御部０２は、キーボード操作者のために適切な操作ガイド表示と確定入力された入力文字列をディスプレイ０３に表示する。【００２６】図２は、キーボードのキー入力信号の時間軸での変化を示す図である。キーボードにはｎ個のキーがある。
ｎ個のキーのうちの１つのキーｉ（キー番号がｉ）の押下または打鍵が時間の時刻ｔｉ０で始まると出力信号Ｘｉは、オフ状態からオン状態になり、押下または打鍵がｔｉ１で終了するとオン状態からオフ状態になる。出力信号Ｘｉの時刻ｔｉ０での変化を前縁と呼び、ｔｉ１での変化を後縁と呼ぶ。ここで、キーｉの押下というとき、キーｉを押して、出力信号Ｘｉをオン状態にすることをいう。打鍵というとき、キーｉを押下して、出力信号Ｘｉをオン状態にし、続いて押下を終了して出力信号Ｘｉをオフ状態にする一連の動作をいう。【００２７】図３は、キーボードの２つのキーが同時に打鍵されたときのキー出力信号を示している。
▲１▼の場合には、キーｉの押下がｔｉ０で始まり、キーｊの押下がｔｊ０で始まり、キーｉの押下がｔｉ１で終了し、キーｊの押下がｔｊ１で終了する。このとき、出力信号Ｘｉと出力信号Ｙｊとの論理和信号はＸｉ＋Ｘｊであり、ｔｉ０でオンとなりｔｊ１でオフとなる。
▲２▼の場合には、キーｉの押下がｔｉ０で始まり、キーｊの押下がｔｊ０で始まり、キーｉの押下がｔｉ１で終了し、キーｊの押下がｔｊ１で終了する。このとき、出力信号Ｘｉと出力信号Ｙｊとの論理和信号はＸｉ＋Ｘｊであり、ｔｉ０でオンとなりｔｉ１でオフとなる。【００２８】図４は図１のブロック構成図の動作フローチャートである。動作を開始すると図４の▲１▼で図１のＲレジスタ１４の内容がリセットされる。Ｒレジスタはキー出力に関する情報を格納するレジスタである。入力部１１には、キーボードにおけるすべてのキーの出力信号が集められている。いま、任意のキーｉが押下されると、図４の▲２▼では、キー入力制御部１３はキーｉの出力信号Ｘｉの前縁を検出する。前縁が検出されると図４の▲３▼に進み、Ｒレジスタ１４を左にシフトして、ｉをＲレジスタ１４に追加して格納する。【００２９】次いで、図４の▲４▼に進み、各キー入力の論理和信号ΣＸｉの後縁信号が検出されているかどうかを判定する。検出されていない場合は、図４の▲２▼に戻り、あらたなＸｉの前縁の検出を行う。前縁の検出がない場合には、▲４▼に進みΣＸｉの後縁の検出を行う。後縁が検出されない場合は▲２▼に戻り、検出された場合は▲５▼に進む。【００３０】Ｒレジスタ１４には、単数あるいは複数のキーの番号が順序に蓄積して格納されている。このときの順序とは、キー入力信号の前縁の時刻の順序である。Ｔテーブル１６には単独打鍵に対応するすべてのキー番号の見出しと、許容される同時打鍵に対応する順序を区別したキー番号の見出しが項目としてリストアップされる。【００３１】リストの見出しはＩＩｊであり、見出しに対応して内容［ＩＩｊ］が定義されている。各キーの単独打鍵に対応した見出しはｉであり、対応する内容［ｉ］は、キーｉが単独打鍵されたときに、制御部１２から入力コード列出力部１７に入力され、内容［ｉ］に応じて入力コード列が入力コード列出力部１７から出力され、文字入力／表示制御部０２に送られて、処理がなされて、文字列が入力され、入力文字列の表示と操作者に対するガイド表示がディスプレイ０３に表示される。【００３２】図４の▲５▼ではレジスタＲの内容ＩＩｉをキーとして、Ｔテーブル１６を検索する。もし、テーブルの見出しに一致するものがあれば、見出しに対応する内容［ＩＩｉ］を出力部１７に入力して、▲１▼に戻る。もし一致するものがなければ、無効入力と判定して、▲１▼に戻る。【００３３】次に、本発明における第１の実施の形態について説明する。第１の実施の形態では、図１のキーボード０１は図５のキー配列のＱＷＥＲＴＹキーボードと呼ばれる標準的なアルファベットキーボード９９である。上段の各キーは左からキー番号５１から６０が振られており、中段の各キーにはキー番号６１から７０が振られており、下段の各キーにはキー番号７１から８０が振られている。キー７０、キー７８、キー７９、キー８０は記号キーであり、他のキーは英字のアルファベットキーである。【００３４】Ｔテーブル１６は図７のようになっているとする。このとき、図５のＴキー５５を押下したままで、Ｋキー６８を打鍵し、Ｔキー５５の押下を終了すると図７のリストの見出し５５６８に対応する内容「��ＡＫＵＯ  ＫＩＴＡＭＵＲＡ」が読み出され、入力コード列出力部１７に送られ入力コード列出力部１７から「ＴＡＫＵＯ  ＫＩＴＡＭＵＲＡ」に対応する入力コードが文字入力／表示制御部０２に送られ処理されて、文字列「ＴＡＫＵＯ  ＫＩＴＡＭＵＲＡ」が確定入力され、ディスプレイ０３に表示される。【００３５】同じく、Ｔキー５５を押下したままで、；キー７０を打鍵し、Ｔキーの押下を終了すると図７のリストの見出し５５７０に対応する文字列「ＴＡＫＵＯ  ＴＡＮＩ」が確定入力される。以上の２文字ＴＫやＴ；は氏名のイニシャルＴＫやＴＴを想定している。【００３６】次に、同じく、Ｅキー５３を押下したままで、Ｎキー７６、Ｇキー６５、ピリオドキー７９をこの順序で打鍵して、Ｅキー５３の押下を終了すると文字列「ＥＮＧＩＮＥＥＲＩＮＧ」が確定入力される。この場合は単語の略号での入力を想定している。【００３７】いま、Ｅキー５３を押下したままで、Ｎキー７６、Ｇキー６５、ピリオドキー７９を次々と打鍵する場合を説明したが、Ｎキー７６を押下したままで、Ｅキー５３の押下を止め、Ｇキー６５とピリオドキー７９の打鍵を行い、Ｅキー５３の押下を止めても同じ文字列が入力される。キーボードを操作する場合、指の使い方の都合によって、このような操作も必要となる。【００３８】通常の文字入力は、キーボード９９の各キーの単独打鍵での入力を想定し、同時打鍵によって、あらかじめＴテーブル１６に登録した文字列を省略打鍵で入力できる。必要に応じて、Ｔテーブル１６に基づいて省略打鍵される内容を図１のディスプレイ０３に表示しておき、表示内容を見ながら操作者が容易に省略打鍵できるようにすることもできる。【００３９】以上で説明したように、Ｔテーブル１６を適切に作成することにより、同時打鍵によるキー入力で、多くの文字からなる文字列を入力することができる。即ち、文字入力の効率を上げることができる。また、特定の機能キーやシフトキーで入力モードを切り換えないでも、データキーの同時打鍵で省略打鍵をすることができる。【００４０】なお、以上のような同時打鍵による文字列入力操作にはある程度の習熟が必要であるが、通常通りの逐次的な単独打鍵で同時打鍵と同等の文字列入力をすることができるので、徐々に習熟するにつれて同時打鍵を使用するようにすることができる。【００４１】つぎに、本発明における第２の実施の形態について説明する。第２の実施の形態では、図１のキーボード０１は、図６のローマ字入力キーボードと呼ばれるキーボード０９である。ローマ字入力キーボードは片手で操作して、ローマ字で仮名文字を簡単に入力することを想定している。ローマ字入力キーボード０９の各キーはＩキー０５から始まって＃キー５０までのキーからなる。各キーを単独打鍵すると各キーのキートップに表示されたローマ字が入力される。【００４２】例えば、Ｋキー０７を打鍵し、続いてＡキー０６を打鍵するとローマ字コード列［Ｋ］［Ａ］が入力コード列出力部１７を通して、文字入力／表示制御部０２に送られ、仮名文字「か」に変換されて、「か」が文字入力されるとともに、「か」がディスプレイ０３に表示される。図５のアルファベットキーボード９９とは異なり、ローマ字入力キーボード０９のキーはローマ字の子音と母音が分けられて規則正しく配置されており、全体のキー数も少ないので、簡単に習熟して操作することができる。【００４３】なお、＊キー４８は濁点記号を入力するキーであり、＃キー５０は半濁点キーを入力するキーである。例えば、ローマ字列「ＫＡ」をキー入力し、続いて、＊キー４８を打鍵すると入力コード列出力部１７から［Ｋ］［Ａ］に続いて、濁点コード［゛］が文字入力／表示制御部０２に送られ、文字入力／表示制御部で処理されて、「か゛」が入力されるので、濁点半濁点を伴う仮名文字を入力することができる。【００４４】ここで、同時打鍵を行うことにより、ローマ字入力を効率よく行うことを考える。
いま、Ｔテーブル１６を図８のように構成する。図８のリストでは、子音キーと母音キーが同時打鍵された場合に、どちらのキーが先行して押下されたとしても、常に対応する「仮名文字」が出力されるように構成されている。【００４５】例えば、Ｋキー０７が先に押下され、続いてＡキー０６が同時に押下された場合とＡキー０６が先に押下され続いてＫキー０７が同時に押下された場合のどちらでも、ローマ字の入力コード列「Ｋ」［Ａ］が入力コード列出力部１７から、文字入力／文字表示制御部０２に送られ、文字入力／文字表示制御部０２で仮名文字「か」に変換されて、仮名文字「か」が入力される。【００４６】同じようにして、Ｋキー０７、Ｙキー４５、Ａキー０６を同時打鍵して、押下の順序がどうであっても入力コード列「Ｋ」［Ｙ］［Ａ］が入力コード列出力部１７から、文字入力／文字表示制御部０２に送られ、文字入力／文字表示制御部０２で仮名文字「きゃ」に変換されて、仮名文字「きゃ」が入力されるようにすることもできる。ローマ字の母音だけで入力される「あ」「い」「う」「え」「お」や子音だけで入力される「ん」などは、従来通り単独打鍵のみで入力される。【００４７】このようにして、ローマ字入力の子音文字キーと母音文字キーの押下の順序に注意することなく、ローマ字による仮名文字の同時打鍵入力をすることができ、ローマ字の単独打鍵に比べて、同時打鍵することにより仮名文字の文章入力速度を２倍近くに上げることができる。【００４８】なお、同時打鍵によるローマ字は、逐次的な単独打鍵によるローマ字入力に比べて、操作が複雑であるので、多少の習熟期間を要する。しかし、単独打鍵によるローマ字入力と同時打鍵によるローマ字入力を自由に混在させて仮名入力を行うことができるので、従来通りの単独打鍵によるローマ字入力から、同時打鍵に習熟するに従って徐々に移行していくことができる。【００４９】  次に、本発明における第３の実施の形態について説明する。第３の実施の形態では、図１のキーボード０１は図９の仮名入力キーボードである。
携帯電話機のキーボードと同じように、数字キーボード程度の少ないキーで仮名文字を入力できる。【００５０】仮名入力キーボード１００の各キーは［●］キーから［→］キー迄の６個の制御キー８１から８６と、「あ」キーから「わ」キー迄の１０個の行指定キー８７から９５及び９７、更に記号［＊］キー９１および［＃］キー９８より構成されている。［●］キー８１は文字入力に伴う制御操作の確定キーである。［↑］キー８２、［←］キー８４、［↓］キー８８、［→］キー８６はカーソルキーと呼ばれ入力された文字列の編集画面での入力位置を制御するキーである。クリアキー８３は入力された文字の削除などを行うキーである。以上の制御キーで、以下の説明で直接関係のあるのは［→］キー８６である。
仮名入力キーボード１００では、仮名５０音図の１０行５段の配列に対応して、［あ］行から［わ］行の１０行を設定する１０個のキーが物理的に４段に整列配置されている。【００５１】  Ｔテーブル１６を図１０の様に構成する。
行指定キーの同一キーの複数回の単独打鍵で（同一キーと回数の判定は文字入力／表示制御部０２によって行われる）、従来の携帯電話機と同じようにマルチタップ方式で仮名文字が入力される。このとき、同一行の文字を連続して入力するために、［→］キー８６を打鍵して、区切りを判別する。例えば、［か］キー８８を２回連続打鍵し、［→］キー８６を打鍵し、［か］キー８８を打鍵し、［→］キー８６を打鍵すると、文字列「きか」が入力される。［か］キー８８を３回連続打鍵し、［→］キー８６を打鍵すると文字「く」が入力される。
さらに、複数キーの同時打鍵により入力文字が次のように、確定入力される。
仮名５０音図の第１段目の文字は、行指定キーの押下に引き続いて［→］キーを同時打鍵することにより入力文字が確定入力される。第２段目から第５段目の文字はそれぞれの行指定キーの押下に引き続いて、ＩＩ段からＶ段に指定されているキー群の中の、一つのキーを同時打鍵することにより次のように、文字が確定入力される。
ＩＩ段キー  ［あ］、［か］、［さ］のいずれかとの同時打鍵で第２段目の文字が確定入力される。
ＩＩＩ段キー  ［た］、［な］、［は］のいずれかとの同時打鍵で第３段目の文字が確定入力される。
ＩＶ段キー  ［ま］、［や］、［ら］のいずれかとの同時打鍵で第４段目の文字が確定入力される。
Ｖ段キー  ［＊］、［わ］、［＃］のいずれかとの同時打鍵で第５段目の文字が確定入力される。【００５２】例えば［あ］キー８７が先に押下され、続いて［か］キー８８が同時に押下され、［あ］キー８７の押下を終了すると、入力コード列［あ］［あ］［→］が文字入力／表示制御部０２に送られ、文字「い」が確定入力され、表示される。
［か］キー８８が先に押下され、続いて［あ］キー８７が同時に押下され［か］キー８８の押下を終了すると、入力コード列［か］［か］［→］が文字入力／表示制御部０２に送られ、文字「き」が確定入力され、表示される。【００５３】このとき、単独打鍵によって、従来通りの携帯電話機で広く行われているタップ方式の文字入力を混在させて、仮名入力を行うことができる。
例えば、［あ］キーを打鍵し、続いて、［あ］キーを打鍵し、続いて［→］キーを打鍵すると文字「い」が入力される。［か］キーを打鍵し、続いて、［か］キーを打鍵し、続いて［→］キーを打鍵すると文字「き」が入力される。【００５４】  文字入力の速度という点では、同時打鍵による仮名入力では、単独打鍵のマルチタップ方式の文字入力に比べて、約２倍の文章入力速度の向上が期待される。【００５５】  なお、携帯電話機で使われているマルチタップ方式の仮名入力に習熟している場合は、同時打鍵による仮名入力は操作が異なるので、習熟には多少の期間を要する。しかし、マルチタップ方式の仮名入力と同時打鍵による仮名入力を自由に混在させて仮名入力を行うことができるので、従来通りの単独打鍵による仮名入力から、同時打鍵に習熟するに従って徐々に移行していくことができる。【００５６】本発明における第４の実施の形態について説明する。
第４の実施の形態では携帯電話のようなキーボード操作をする場合、キーボードを片手で支え、親指で入力操作するときに、同時打鍵方式を導入することにより、キー入力の高速化を図ったものである。【００５７】図１のキーボード０１は第３の実施の形態と同じく図９の仮名入力キーボード１００である。仮名５０音図の第１段目の文字は単独打鍵で入力し、第２段目から第５段目の文字は、行指定キーを打鍵したのに引き続いて、キーボードで対応する物理的に同じ段の隣接する２個のキーを同時打鍵することにより入力される。【００５８】同時打鍵親指入力キーボードのＴテーブルは、図１１のように構成される。
例えば、［あ］キー８７を打鍵すると、入力コード［あ］が文字入力／表示制御部０２に送られて、いったん文字「あ」が仮入力される。引き続いて、ＩＩ段目にある［あ］キー８７と［か］キー８８を同時打鍵するとＴテーブルの内容［ＩＩ］が入力コード列出力部１７に送られ、直前に送られたキーコード［あ］を［段指定−１］回（この場合は１回）、文字入力／表示制御部０２に送る。文字入力／表示制御部０２は、入力コード［あ］を受け取って、先に仮入力された文字「あ」を「い」に変換して、入力文字として確定入力する。【００５９】同じようにして、［か］キー８７を打鍵すると、入力コード［か］が文字入力／表示制御部０２に送られる。いったん文字「か」が仮入力される。引き続いて、ＩＩＩ段目にある［な］キー９１と［は］キー９２を同時打鍵するとＴテーブルの内容［ＩＩＩ］が入力コード出力部１７に送られ、直前に送られた入力コード［か］を［段指定−１］回（この場合は２回）、文字入力／表示制御部０２に送る。文字入力／表示制御部０２は、入力コード［か］を２回受け取って、先に仮入力された文字「か」を文字「く」に変換して、入力文字として確定入力する。【００６０】  なお、携帯電話と同様のマルチタップ方式での単独打鍵で、仮名文字を入力することができる。このときの文字入力／表示制御部０２の動作と同時打鍵された場合の文字入力／表示制御部０２の動作はまったく同じである。同時打鍵の動作を区別して制御しているのは、Ｔテーブル１６と入力コード出力部１７の制御動作である。【００６１】本第４の実施例の特徴は、同時打鍵によるキー入力で段指定であるＩＩ  ＩＩＩ  ＩＶ  Ｖという制御
コードを入力コード列制御部１７に送ることができることである。このことによって、単独打鍵によって、入力する仮名文字の仮名５０音図の行指定を入力し（一旦キーの押下を終了して）、部地理的に隣接する２つのキーの同時打鍵によって仮名５０音図の段指定を入力して、入力文字を確定入力することができる。物理的に隣接キーの同時打鍵を容易に操作できるようにキー配置と構造に工夫を加えることにより、片手での携帯電話機のキーボードの文字入力を効率よく簡単に行うことができる。【００６２】次に本発明における第５の実施の形態について説明する。
第５の実施の形態では、図１のキーボード１は図１２のアルファニューメリックキーボード１０１である。
英字および数字を数字キーボード程度の少ないキーで英数字および記号を入力モードを切り替えないでも入力できる。【００６３】アルファニューメリックキーボード１０１の各キーは［●］キーから［→］キー迄の６個の制御キー２１から２６と、［１］キーから［０］キー迄の１０個の数字キー２７から３５及び３７、更に記号［＊］３６、［＃］３８より構成されている。
アルファニューメリックキーボード２０には、英字アルファベット２６文字と１０個の数字と６個の記号が表記された、［１］から［０］の１０個の数字キーと２個の記号キーが物理的に４段に整列配置されていて、単独打鍵または複数キーの同時打鍵により英数字あるいは記号が入力される。
［１］キー２７には、「，．／△１」が表記され、
［２］キー２８には、「ＡＢＣ△２」が表記され、
［３］キー２９には「ＤＥＦ△３」が表記され、
［４］キー３０には「ＧＨＩ△４」が表記され、
［５］キー３１には「ＪＫＬ△５」が表記され、
［６］キー３２には「ＭＮＯ△６」が表記され、
［７］キー３３には「ＰＱＲＳ７」が表記され、
［８］キー３４には「ＴＵＶ△８」が表記され、
［９］キー３５には「ＷＸＹＺ９」が表記され、
「０」キー３７には「〈〉？△０」が表記され、
［＊］キー３６には「＊」が表記され、
［＃］キー３８には「＃」が表記される。【００６４】ここで、各キーの表記文字の位置により、左から第１番目の文字、第２番目の文字、第３番目の文字、第４番目の文字、第５番目の文字と呼ぶ。例えば、「Ｃ」は第３番目の文字であり、「Ｓ」は第４番目の文字であり、数字はすべて第５番目の文字であり、「＞」は第２番目の文字である。ここで、△はブランクを意味しており、その位置には何も表記されていない。【００６５】  Ｔテーブル１６を図１３の様に構成する。
第１番目の文字は、数字キーの押下に引き続いて［→］キーを同時打鍵することにより入力される。第２番目から第５番目の文字はそれぞれの数字キーの押下に引き続いて、ＩＩ段からＶ段に指定されているキー群の中の、一つのキーを同時打鍵することにより確定入力される。
ＩＩ段キー  ［１］、［２］、［３］のいずれかとの同時打鍵で第２番目の文字が確定入力される。
ＩＩＩ段キー  ［４］、［５］、［６］のいずれかとの同時打鍵で第３番目の文字が確定入力される。
ＩＶ段キー  ［７］、［８］、［９］のいずれかとの同時打鍵で第４番目の文字が確定入力される。
Ｖ段キー  ［＊］、［０］、［＃］のいずれかとの同時打鍵で第５番目の文字が確定入力される。【００６６】例えば［２］キー２８が先に押下され、続いて［３］キー２９が同時に押下されると、入力コード列［Ａ］［Ａ］［→］が文字入力／表示制御部０２に送られ、文字「Ｂ」が確定入力され、入力文字として表示される。
［３］キー２９が先に押下され、続いて［２］キー２８が同時に押下されると、入力コード［Ｄ］［Ｄ］［→］が文字入力／表示制御部０２に送られ、文字「Ｅ」が確定入力され、入力文字として表示される。【００６７】このとき、単独打鍵によって、従来通りの携帯電話機で広く行われているマルチタップ方式の文字入力を混在させて、文字入力を行うことができる。
例えば、［１］キー２７を打鍵し、続いて、［１］キー２７を打鍵し、続いて［→］キー２６を打鍵すると文字「Ｂ」が確定入力される。［３］キー２９を打鍵し、続いて、［３］キー２９を打鍵し、続いて［→］キー２６を打鍵すると文字「Ｅ」が確定入力される。【００６８】以上のように、英字と合わせて、数字あるいは記号が、文字入力モードを切り替えないでも効率よく入力することができ、英字を主体とし、数字と記号が混在するような文章を入力するときにとくに効果的である。【００６９】  なお、マルチタップ方式の英字入力に習熟している場合は、同時打鍵による英数字入力は操作が異なるので、同時打鍵の習熟には多少の期間を要する。しかし、マルチタップ方式の英字入力と同時打鍵による英数字入力を自由に混在させて入力を行うことができるので、従来通りの単独打鍵による英数字入力から、同時打鍵に習熟するに従って徐々に移行していくことができる。【００７０】  最後に、以上の本発明における実施の形態に共通する事項として、付加キーボードシステムについて述べる。図１の文字入力／表示制御部０２とディスプレイ０３は従来のデータキーの単独打鍵による文字入力を行う本体装置であるとすると、文字入力／表示制御部０２の入力インターフェースに入力コード出力部１７の出力を接続することにより、同時打鍵を可能とするキーボード０１と入力コード制御部１０からなる付加キーボードシステムを本体装置に付加することができる。本付加キーボードシステムは従来の単独打鍵によるキー操作方法を保ちながら、必要に応じて同時打鍵による付加的な操作を可能として、オプショナルに使用される。
【図面の簡単な説明】［図１］
電子機器のブロック構成図である。
［図２］
キー単独打鍵のタイムチャートである。
［図３］
キー同時打鍵のタイムチャートである。
［図４］
ブロック構成図の動作フローチャートである。
［図５］
ＱＷＥＲＴＹキーボードのキー配列図である。
［図６］
ローマ字入力キーボードのキー配列図である。
［図７］
英字入力キーボードのＴテーブルである。
［図８］
ローマ字入力キーボードのＴテーブルである。
［図９］
仮名入力キーボードのキー配列図である。
［図１０］
仮名入力キーボードのＴテーブルである。
［図１１］
同時打鍵親指入力キーボードのＴテーブルである。
［図１２］
アルファニューメリックキーボードのキー配列図である。
［図１３］
アルファニューメリックキーボードのＴテーブルである。
【符号の説明】
０１．  キーボード
０２．  文字入力／表示制御部
０３．  デイスプレイ
０５．  ローマ字入力キーボードの［Ｉ］キー
０６．  ローマ字入力キーボードの［Ａ］キー
０７．  ローマ字入力キーボードの［Ｋ］キー
０８．  ローマ字入力キーボードの［Ｓ］キー
０９．  ローマ字入力キーボード
１０．  入力コード制御部
１１．  キー入力部
１２．  制御部
１３．  キー入力制御部
１４．  Ｒレジスタ
１５．  記憶部
１６．  Ｔテーブル
１７．  入力コード列出力部
２０．  文字入力／表示制御部
２１．  アルファニューメリックキーボードの［●］キー
２２．          〃                        ［↑］キー
２３．          〃                        ［クリア］キー
２４．          〃                        ［←］キー
２５．          〃                        ［↓］キー
２６．          〃                        ［→］キー
２７．          〃                        ［，．／Δ１］キー
２８．          〃                        ［ＡＢＣΔ２］キー
２９．          〃                        ［ＤＥＦΔ３］キー
３０．          〃                        ［ＧＨＩΔ４］キー
３１．          〃                        ［ＪＫＬΔ５］キー
３２．  アルファニューメリックキーボードの［ＭＮＯΔ６］キー
３３．          〃                        ［ＰＱＲＳ７］キー
３４．          〃                        ［ＴＵＶΔ８］キー
３５．          〃                        ［ＷＸＹＺ９］キー
３６．          〃                        ［＊］キー
３７．          〃                        ［＜  ＞？ΔＯ］キー
３８．          〃                        ［＃］キー
３９．  ローマ字入力キーボードの［Ｕ］キー
４０．          〃              ［Ｔ］キー
４１．          〃              ［Ｎ］キー
４２．          〃              ［Ｈ］キー
４３．          〃              ［Ｅ］キー
４４．          〃              ［Ｍ］キー
４５．          〃              ［Ｙ］キー
４６．          〃              ［Ｒ］キー
４７．          〃              ［Ｏ］キー
４８．          〃              ［＊］キー
４９．          〃              ［Ｗ］キー
５０．          〃              ［＃］キー
５１．  ＱＷＥＲＴＹキーボードの［Ｑ］キー
５２．          〃              ［Ｗ］キー
５３．          〃              ［Ｅ］キー
５４．          〃              ［Ｒ］キー
５５．          〃              ［Ｔ］キー
５６．          〃              ［Ｙ］キー
５７．          〃              ［Ｕ］キー
５８．          〃              ［Ｉ］キー
５９．          〃              ［Ｏ］キー
６０．          〃              ［Ｐ］キー
６１．  ＱＷＥＲＴＹキーボードの［Ａ］キー
６２．          〃              ［Ｓ］キー
６３．          〃              ［Ｄ］キー
６４．          〃              ［Ｆ］キー
６５．          〃              ［Ｇ］キー
６６．          〃              ［Ｈ］キー
６７．          〃              ［Ｊ］キー
６８．          〃              ［Ｋ］キー
６９．          〃              ［Ｌ］キー
７０．          〃              ［；］キー
７１．          〃              ［Ｚ］キー
７２．          〃              ［Ｘ］キー
７３．          〃              ［Ｃ］キー
７４．          〃              ［Ｖ］キー
７５．          〃              ［Ｂ］キー
７６．          〃              ［Ｎ］キー
７７．          〃              ［Ｍ］キー
７８．          〃              ［，］キー
７９．          〃              ［．］キー
８０．          〃              ［／］キー
８１．  仮名入力キーボードの［●］キー
８２．          〃          ［↑］キー
８３．          〃          ［クリア］キー
８４．          〃          ［←］キー
８５．          〃          ［↓］キー
８６．          〃          ［→］キー
８７．          〃          ［あ］キー
８８．          〃          ［か］キー
８９．          〃          ［さ］キー
９０．          〃          ［た］キー
９１．          〃          ［な］キー
９２．          〃          ［は］キー
９３．          〃          ［ま］キー
９４．          〃          ［や］キー
９５．          〃          ［ら］キー
９６．          〃          ［＊］キー
９７．          〃          ［わ］キー
９８．          〃          ［＃］キー
９９．  ＱＷＥＲＴＹキーボード
１００．仮名入力キーボード
１０１．アルファニューメリックキーボード
【図１】
2005316917.tif 000003
【図２】
2005316917.tif 000004
【図３】
2005316917.tif 000005
【図４】
2005316917.tif 000006
【図５】
2005316917.tif 000007
【図６】
2005316917.tif 000008
【図７】
2005316917.tif 000009
【図８】
2005316917.tif 000010
【図９】
2005316917.tif 000011
【図１０】
2005316917.tif 000012
【図１１】
2005316917.tif 000013
【図１２】
2005316917.tif 000014
【図１３】
2005316917.tif 000015